(57)【要約】　　　（修正有）【課題】遊技機に大幅な改造を加えることなく間接税額を徴収可能とする。【解決手段】貨幣識別手段と受付け金額に基づき利用可能金額の情報が記録された遊技用記録媒体を発行する発行装置と、受付けた遊技用記録媒体の記録情報を読み出す記録媒体処理手段と該読み出した記録情報から利用可能金額を遊技に使用させるための遊技用価値使用処理手段とを備える遊技用装置と、受付けた遊技用記録媒体の記録情報を読み出す記録媒体処理手段と該読み出した記録情報から利用可能金額の貨幣を払い出す精算処理手段とを備える精算装置と、情報の管理を行う管理装置と、から成る遊技用システムであって、前記発行金額から間接税額を特定する間接税額特定手段と、特定された間接税額が該当する遊技用価値の使用を禁止する使用禁止手段と、を備え、前記精算装置は、使用禁止とされた遊技用価値に相当する金額から特定された間接税額を差し引いた金額の貨幣を払い出す。【選択図】　　図５
2004135810.tif 000002
【特許請求の範囲】
【請求項１】
貨幣を受付けて、該受付け貨幣の識別を行う貨幣識別手段と、該貨幣識別手段にて識別された受付け金額に基づき、遊技機に使用可能な利用可能金額の大きさを特定可能な情報が記録された遊技用記録媒体を発行する発行装置と、
前記遊技用記録媒体を受付けて、該受付けた遊技用記録媒体の記録情報を少なくとも読み出す記録媒体処理手段と、該記録媒体処理手段にて読み出した前記遊技用記録媒体に記録されている情報から特定される大きさの利用可能金額を遊技に使用させるための使用処理手段と、を備える遊技用装置と、
前記遊技用記録媒体を受付けて、該受付けた遊技用記録媒体の記録情報を少なくとも読み出す記録媒体処理手段と、該記録媒体処理手段にて読み出した前記遊技用記録媒体に記録されている情報から特定される大きさの利用可能金額の貨幣を払い出す精算処理手段と、を備える精算装置と、
前記発行装置と遊技用装置並びに前記精算装置と通信可能であって、該発行装置と遊技用装置並びに前記精算装置に関する情報の管理を行う管理装置と、
から成る遊技用システムであって、
前記遊技用記録媒体に記録されている情報から特定される発行金額から該当する間接税額を特定する間接税額特定手段と、該間接税額特定手段にて特定された間接税額が該当する大きさの遊技用価値の前記使用処理手段における使用を禁止する使用禁止手段と、を備え、
前記精算装置は、前記使用禁止手段にて使用禁止とされた大きさの遊技用価値に相当する金額から前記間接税額特定手段にて特定された間接税額を差し引いた金額の貨幣を払い出すことを特徴とする遊技用システム。
【請求項２】
前記遊技用装置は、貨幣を受付けて該受付け貨幣の識別を行う貨幣識別手段を有し、該貨幣識別手段における識別貨幣金額の範囲内の所定額を前記記録媒体処理手段に受け付け中の前記遊技用記録媒体から読み出した情報より特定される大きさの利用可能金額に加算更新する価値加算手段を備え、
前記間接税額特定手段は、前記価値加算手段に供された金額が該当する間接税額を前記発行金額から特定した間接税額に加算し、前記使用禁止手段は、該加算後の間接税額が該当する大きさの遊技用価値の前記使用処理手段における使用を禁止する請求項１に記載の遊技用システム。
【請求項３】
前記管理装置は、前記間接税の税率を設定するための間接税率設定手段を備え、
前記間接税額特定手段は、前記間接税率設定手段にて設定された税率に基づいて、前記間接税額を特定する請求項１または２に記載の遊技用システム。
【請求項４】
前記管理装置は、徴収した間接税額を集計する間接税額集計手段と、該間接税額集計手段にて集計された間接税額に関する情報を記憶するための間接税額記憶手段と、該間接税額記憶手段に記憶されている間接税額に関する情報を出力するための出力手段を備える請求項１〜３のいずれかに記載の遊技用システム。
【請求項５】
前記管理装置は、前記間接税額記憶手段に記憶されている間接税額に関する情報を第三者機関へ送信するための送信手段を備える請求項４に記載の遊技用システム。
【請求項６】
前記精算装置は、少なくとも受付けた遊技用記録媒体から徴収した総間接税額を表示する表示手段を備える請求項１〜５のいずれかに記載の遊技用システム。
【請求項７】
前記精算装置は、少なくとも受付けた遊技用記録媒体から徴収した総間接税額が記録されたレシートを発行する発行手段を備える請求項１〜６のいずれかに記載の遊技用システム。
【発明の詳細な説明】
【０００１】
【発明の属する技術の分野】
本発明は、遊技場に設置され、プリペイドカード等の遊技用記録媒体を用いて遊技を行うことのできる遊技用システムに関する。
【０００２】
【従来の技術】
近年、遊技場においては貨幣回収のための労力低減とともに、経営の透明性向上を目的として、第三者機関であるカード会社が発行・管理を行う第三者発行型、或いは遊技場が発行を行い、カード会社が管理を行う自家発行型のプリペイドカード等の遊技用記録媒体を用いて遊技を行うことのできる遊技用システムが多く使用されている。
【０００３】
これら従来より使用されている遊技用システムにおいては、遊技者が間接税である消費税等の端数金額を取り扱う不便を解消することを目的として、従来よりこれら消費税を遊技場側が肩代わりする形態に対応したものとされ、遊技者が１０００円のプリペイドカードを購入した場合には、１０００円の全てを遊技に使用できるようにされていたが、これら遊技場側の一方的な間接税負担の問題を解消することを目的として、例えば前記１０００円から間接税額として税率５％の内税である４８円を徴収し、残りの９５２円を遊技に使用できるようにした遊技用システムが提案されている。（特許文献１参照）
【０００４】
【特許文献１】
特開２００２　−１２３６５１号公報　（第６−７頁、第２図）
【０００５】
【発明が解決しようとする課題】
これら間接税額を徴収する遊技用システムにおいては、例えば前記間接税額として４８円を徴収した場合には、従来より実施されている貸出単位金額である１００円に相当する２５球の貸出処理に加えて、該１００円未満の５２円に相当する１３球の貸出処理を行うための改造を、従来の遊技用システムを構成する遊技用装置や遊技機に実施する必要があり、これらの改造に伴い遊技用システムが高価のものになってしまうという問題があった。
【０００６】
また、更には、前記間接税率が変更されて１００円未満の端数残額が、遊技媒体の貸し出し単価、例えばパチンコ球であれば４円にて割り切れない金額、具体的には消費税率が７％と成った場合の端数残額３５円の金額となった場合に、前記４円にて割り切れない金額である３円にて１球の遊技球を払い出す場合には遊技場が１円を損失し、一方、３円にて１球の遊技球も払い出さない場合には遊技客が該３円を損失してしまうことから、これら割り切れずに残った遊技媒体の貸し出し単価未満の金額を、遊技客並びに遊技場の双方にとって公平に処理できないという問題もあった。
【０００７】
よって、本発明は上記した問題点に着目してなされたもので、間接税額を徴収する場合においても、従来の遊技用システムを構成する各機器、特に遊技機に大幅な改造を加えることなく、間接税額を徴収可能な遊技用システムを得ることができるともに、前述のように税率が変更されて遊技媒体の貸し出し単価未満の金額が発生しても、これら貸し出し単価未満の金額を遊技客並びに遊技場の双方にとって公平に処理することのできる遊技用システムを提供することを目的としている。
【０００８】
【課題を解決するための手段】
前記した問題を解決するために、本発明の遊技用システムは、貨幣を受付けて、該受付け貨幣の識別を行う貨幣識別手段と、該貨幣識別手段にて識別された受付け金額に基づき、遊技機に使用可能な利用可能金額の大きさを特定可能な情報が記録された遊技用記録媒体を発行する発行装置と、
前記遊技用記録媒体を受付けて、該受付けた遊技用記録媒体の記録情報を少なくとも読み出す記録媒体処理手段と、該記録媒体処理手段にて読み出した前記遊技用記録媒体に記録されている情報から特定される大きさの利用可能金額を遊技に使用させるための使用処理手段と、を備える遊技用装置と、
前記遊技用記録媒体を受付けて、該受付けた遊技用記録媒体の記録情報を少なくとも読み出す記録媒体処理手段と、該記録媒体処理手段にて読み出した前記遊技用記録媒体に記録されている情報から特定される大きさの利用可能金額の貨幣を払い出す精算処理手段と、を備える精算装置と、
前記発行装置と遊技用装置並びに前記精算装置と通信可能であって、該発行装置と遊技用装置並びに前記精算装置に関する情報の管理を行う管理装置と、
から成る遊技用システムであって、
前記遊技用記録媒体に記録されている情報から特定される発行金額から該当する間接税額を特定する間接税額特定手段と、該間接税額特定手段にて特定された間接税額が該当する大きさの遊技用価値の前記使用処理手段における使用を禁止する使用禁止手段と、を備え、
前記精算装置は、前記使用禁止手段にて使用禁止とされた大きさの遊技用価値に相当する金額から前記間接税額特定手段にて特定された間接税額を差し引いた金額の貨幣を払い出すことを特徴としている。
この特徴によれば、前記精算装置にて、前記使用処理手段により使用禁止とされた大きさの遊技用価値に相当する金額から前記間接税額特定手段にて特定された間接税額を差し引いた金額の貨幣が払い出されることで、該間接税額を差し引いた金額が貸出単位金額未満となっても、前記精算装置にて精算されるようになるため、これら貸出単位金額未満の金額の貸出を実施するための改造を、前記遊技用装置が対応する遊技機に実施する必要がなく、間接税額の徴収に対応する遊技用システムを安価にて得ることができるばかりか、仮に税率が変更されて遊技媒体の貸し出し単価未満の金額が発生しても、これら貸し出し単価未満の金額を遊技客並びに遊技場の双方にとって公平に処理することもできる。
【０００９】
本発明の遊技用システムは、前記遊技用装置は、貨幣を受付けて該受付け貨幣の識別を行う貨幣識別手段を有し、該貨幣識別手段における識別貨幣金額の範囲内の所定額を前記記録媒体処理手段に受け付け中の前記遊技用記録媒体から読み出した情報より特定される大きさの利用可能金額に加算更新する価値加算手段を備え、
前記間接税額特定手段は、前記価値加算手段に供された金額が該当する間接税額を前記発行金額から特定した間接税額に加算し、前記使用禁止手段は、該加算後の間接税額が該当する大きさの遊技用価値の前記使用処理手段における使用を禁止することが好ましい。
このようにすれば、遊技客は、新たな現金を遊技用装置に投入して、該遊技用装置にて使用している遊技用記録媒体の残金額への金額加算を実施できるとともに、該加算金額からも間接税額を確実に徴収することができる。
【００１０】
本発明の遊技用システムは、前記管理装置は、前記間接税の税率を設定するための間接税率設定手段を備え、
前記間接税額特定手段は、前記間接税率設定手段にて設定された税率に基づいて、前記間接税額を特定することが好ましい。
このようにすれば、前記間接税の税率が変更しても、プログラム等の変更を行うことなく、速やかに対応することができる。
【００１１】
本発明の遊技用システムは、前記管理装置は、徴収した間接税額を集計する間接税額集計手段と、該間接税額集計手段にて集計された間接税額に関する情報を記憶するための間接税額記憶手段と、該間接税額記憶手段に記憶されている間接税額に関する情報を出力するための出力手段を備えることが好ましい。
このようにすれば、前記集計された間接税額を容易に且つ正確に把握でき、課税申告に伴う間接税額の算出の労力を大幅に低減できる。
【００１２】
本発明の遊技用システムは、前記管理装置は、前記間接税額記憶手段に記憶されている間接税額に関する情報を第三者機関へ送信するための送信手段を備えることが好ましい。
このようにすれば、第三者による間接税額に関する情報の管理が可能となり、脱税の抑止能力を向上できる。
【００１３】
本発明の遊技用システムは、前記精算装置は、少なくとも受付けた遊技用記録媒体から徴収した総間接税額を表示する表示手段を備えることが好ましい。
このようにすれば、遊技者は徴収された総間接税額を知覚できるようになり、これら間接税の徴収に対する遊技者の不信感を軽減できる。
【００１４】
本発明の遊技用システムは、前記精算装置は、少なくとも受付けた遊技用記録媒体から徴収した総間接税額が記録されたレシートを発行する発行手段を備えること好ましい。
このようにすれば、総間接税額が記録されたレシートが遊技者に対して発行されるようになり、これら間接税の徴収に対する遊技者の不信感をより一層軽減できる。
【００１５】
【発明の実施の形態】
以下、図面に基づいて本発明の実施形態を説明する。尚、以下の実施例においては、遊技機として遊技媒体であるパチンコ玉が払い出される通常のパチンコ機を用いた例を示すが、本発明はこれに限定されるものではなく、その他の遊技機、例えばパチンコ玉が指触不能に封入された封入式パチンコ機や、遊技媒体としてコインやパチンコ玉を使用するスロットマシンやパチロット、更には完全クレジット式のスロットマシン等の遊技機においても適用可能である。
【００１６】
（実施例）
図１は本実施例に用いた遊技島１の外観斜視図であり、該遊技島１は、その前後面（後面は図示せず）に、遊技機としてのパチンコ機２と、該パチンコ機２の側部位置に１対１に対応して設置されるカードユニット３とが複数並設されているとともに、該遊技島１の島端には後述する遊技用記録媒体としてのプリペイドカード３７（図６参照）を発行するためのカード発行機５００が設置されており、これらカードユニット３並びにカード発行機５００は遊技場の所定箇所に設置された管理コンピュータ１００（図５参照）とデータ通信可能に接続されている。
【００１７】
前記遊技島１内の略中央部には、図１に示すように、各カードユニット３より排出された紙幣を遊技島端に設けられた紙幣回収ボックス（図示略）に搬送する紙幣搬送路４が、該遊技島の長手方向に横断するように架設されているとともに、前記各カードユニット３にて回収されたプリペイドカード３７を後述のカード搬送路１３に排出させるカード回収路１２と、該カード回収路１２から排出されたプリペイドカード３７を前記所定方向島端のカード回収ボックス（図示略）に搬送するためのカード搬送路１３が設けられている。
【００１８】
また、前記遊技島１の内部には、前記各パチンコ機２にパチンコ玉を供給する供給樋（図示略）や、前記各パチンコ機２に対応して設置され、該パチンコ機２にて使用されたパチンコ玉が収容されるアウト玉タンク（図示略）や、該アウト玉タンクから排出されたパチンコ玉を集めて前記供給樋に揚送する揚送装置等（図示略）が設けられている。
【００１９】
次に、本実施例の遊技機であるパチンコ機２について簡潔に説明すると、該パチンコ機２は、図２に示すように、前面がガラス枠に被覆された遊技領域２０７を有し、該遊技領域２０７の下部には打球供給皿２０３が設けられている。また打球供給皿２０３の上面所定箇所には、操作部１４が設けられているとともに、その下部には、前記打球供給皿２０３内のパチンコ玉を発射する打球操作ハンドル２０５とが設けられており、該打球操作ハンドル２０５の操作により打球供給皿２０３に貯留されているパチンコ玉が遊技領域２０７に発射され、該遊技領域２０７内に設けられた各種入賞口に前記パチンコ玉が入賞することで所定数の賞球が払い出される通常のパチンコ機とされている。
【００２０】
前記操作部１４の上面には、図３に示すように、遊技者により前記カードユニット３において受付け中のプリペイドカード３７より読み出された残金額に基づいて、該残金額内の利用可能な度数を表示する度数表示部１７と、遊技の開始または前記打球供給皿２０３に持玉が少なくなったか無くなった際に押圧操作されて、前記度数表示部１７に度数が存在する場合に所定数量のパチンコ玉の貸出を実施する貸出ボタンスイッチスイッチ１６と、遊技を終了する際に押圧操作されることにより、前記プリペイドカード３７にその時点の残金額を上書き更新して返却させるための返却ボタンスイッチスイッチ１５と、が設けられており、これら各部は操作部１４内部に設けられている操作基板１８上に実装されている。
【００２１】
これらパチンコ機２の構成を図５に基づいて説明すると、該パチンコ機２には、遊技領域２０７に設けられた可変表示部２０９の表示制御を行う表示制御基板２８０と、図示しない玉タンクに供給されたパチンコ玉の払出を実施する玉払出装置２９７に接続され、後述の遊技制御基板２３１から出力される賞球信号並びにカードユニット３より入出力される各種信号に基づきパチンコ玉の払出制御を行う賞球制御基板２３７と、遊技効果ランプ等の制御を実施するランプ制御基板２３５と、スピーカから出力される音声制御を行う音声制御基板２７０と、前記打球操作ハンドル２０５の操作に基づき打球供給皿２０３に払い出されたパチンコ玉を遊技領域２０７に発射する打球発射装置の制御を行う発射制御基板２９１と、これら各部の制御を実施する遊技制御基板２３１と、が設けられており、これらは図５に示すように接続されている。
【００２２】
また、前記賞球制御基板２３７は、前記カードユニット３のカードユニット制御基板（図示略）に信号ケーブルを介して接続されており、後述の貸出完了信号（ＥＸＳ）やパチンコ機レディー信号（ＰＲＤＹ）が前記カードユニット３に設けられた後述のマイクロプロセッシングユニット（ＭＰＵ）３１３に出力されるようになっているとともに、前記カードユニット３のＭＰＵ３１３より出力される後述のカードユニットレディー信号（ＢＲＤＹ）や貸出要求完了確認信号（ＢＲＱ）が入力されるようになっている。
【００２３】
また、前記操作基板１８は、前述の賞球制御基板の信号ケーブルとともにカードユニット３に接続されており、前記貸出ボタンスイッチ１６が操作されて遊技者による玉貸し操作がなされた場合に出力される貸出入力信号や、返却ボタンスイッチ１５が操作されて遊技者による返却操作がなされた場合に出力される返却入力信号が前記カードユニット３のＭＰＵ３１３に出力されるようになっているとともに、該ＭＰＵ３１３より出力される前記度数表示部１７の度数表示信号が入力されるようになっている。
【００２４】
次に、本実施例に用いたカードユニット３を図４（ａ）（ｂ）並びに図５に基づいて説明すると、該カードユニット３の前面には、図４（ａ）に示すように、点灯によりカードユニット３の動作を報知する動作ランプ３０１と、紙幣を挿入可能とされた紙幣挿入口３０２と、該紙幣挿入口３０２からの紙幣の排出を点滅により報知する紙幣インジケータ３０３と、前記プリペイドカード３７が挿入可能とされたカード挿入口３０５と、該カード挿入口３０５からのプリペイドカード３７の排出を遊技者に報知するカードインジケータ３０６と、後述する追加入金処理により排出されたプリペイドカード３７の再挿入を実施する挿入ボタンスイッチスイッチ３０８と、後述する紙幣識別ユニット３１１により識別された紙幣の合計金額が逐次表示される合計金額表示部３０４と、が設けられている。
【００２５】
このカードユニット３の構成を図４（ｂ）並びに図５に基づいて説明すると、該カードユニット３は、前記動作ランプ３０１や、紙幣インジケータ３０３や、カードインジケータ３０６や、挿入ボタンスイッチ３０８や、合計金額表示部３０４に加えて、前記紙幣挿入口３０２に連設され、挿入された紙幣の識別を行う紙幣識別ユニット３１１と、前記カード挿入口３０５に挿入されたプリペイドカード３７の記録情報の読み出し並びに書き込み等を行う記録媒体処理手段であるＩＣカードリーダライタ３１０と、前記合計金額表示部３０４の表示制御を実施する表示ドライバ３０７と、前記挿入されたプリペイドカード３７から読み出し或いは書き込まれる情報や前記紙幣識別ユニット３１１にて識別された金額並びに間接税率等の設定情報や使用禁止度数等の各種情報を記憶する記憶部３１５と、後述するＭＰＵ３１３が実行する制御内容が記述された制御プログラム等が記憶されたＲＯＭ３１６と、前記パチンコ機２の賞球制御基板２３７や操作基板１８との各種信号の入出力が行われるＩ／Ｏポート３１４と、通信ケーブル８を介して前記管理コンピュータ１００とのデータ通信を行うための通信部３１２と、各部の制御や前記操作基板１８に実装された度数表示部１７の制御等を行うマイクロプロセッシングユニット（ＭＰＵ）３１３と、を具備しており、これら各部は図５に示すように接続されている。
【００２６】
また、前記紙幣識別ユニット３１１は、図４（ｂ）に示すように、その後端側が紙幣回収路２１を介して紙幣搬送路４に連結されており、該紙幣識別ユニット３１１において挿入された紙幣が正規の紙幣であると識別された場合に、該挿入された紙幣が前記紙幣回収路２１を介して紙幣搬送路４に送り出されるようになっている。
【００２７】
また、前記ＩＣカードリーダライタ３１０では、挿入されたプリペイドカード３７から読み出された残金額が後述の貸出処理により使用されて０円となった場合にカード回収路１２を介してカード搬送路１３に排出され、回収される。
【００２８】
また、図５に示すように、前記記憶部３１５にはバックアップ電源３１７が搭載されており、例えば、停電等によりカードユニット３への電源供給が不意に遮断された場合においても、前記バックアップ電源３１７により記憶部３１５が付勢されて、該記憶部３１５における記憶内容が電源復旧時まで保持されるようになっている。
【００２９】
これらカードユニット３において使用される本実施例の遊技用記録媒体であるプリペイドカード３７にはＩＣカードが使用されており、この本実施例に用いたＩＣカードの構成は、図６に示すように所定厚みとされ、その内部が凹状とされた樹脂製の基体３８１の該凹部外周所定位置に、テープオートボンディング（ＴＡＢ）実装によりその内部にメモリ（図示せず）を内蔵したＩＣチップ３８２が実装されるとともに、該ＩＣチップ３８２から該基体３８１の外周に沿うように設けられたパターンコイル３８３を有するフレキシブルプリント基板３８４が内挿され、該凹部全面がトップフィルム３８５にて覆われた構成とされており、これらプリペイドカード３７は、前記ＩＣカードリーダライタ３１０や前記カード発行機５００並びに後述する精算装置４００のＩＣカードリーダライタ４１５、５１５に挿入されることで、該リーダライタから出力される電磁波が前記パターンコイル３８３に誘導起電力を生じさせて前記ＩＣチップ３８２が動作可能に付勢されるとともに、該パターンコイル３８３を介して前記ＩＣカードリーダライタ３１０、４１５、５１５との各種のデータ通信を電磁波により非接触にて実施可能とされた非接触ＩＣカードとされている。
【００３０】
また、これらプリペイドカード３７におけるＩＣチップ３８２のメモリには、各プリペイドカード３７に対して個別に付与された識別情報であるカードＩＤが予め書き換え不可に記録されており、該カードＩＤを読み取ることで個々のプリペイドカード３７が識別されるようになっているとともに、前記ＩＣカードリーダライタ３１０、４１５、５１５とのデータ通信により、残存する金額データ等が書き換え可能に記録されるようになっている。
【００３１】
また、これらプリペイドカード３７に記録されているカードＩＤや残金額の情報とともに、各プリペイドカード３７の発行金額や総入金金額、間接税額、該間接税額に該当する大きさの遊技用価値である使用禁止度数、精算により徴収された徴収金額、使用金額並びに精算金額や残金額が、前記管理コンピュータ１００のカード管理データベース（図１３参照）において各ＩＤ毎に登録されているとともに、各プリペイドカード３７の記録情報が変更される毎に前記管理コンピュータ１００のカード管理ＤＢに登録された各ＩＤ毎のデータも更新されるようになっており、これらプリペイドカード３７の記録内容が前記管理コンピュータ１００により管理されるようになっている。
【００３２】
また、本実施例のカードユニット３においては、前記プリペイドカード３７が挿入されることで、該プリペイドカード３７より読み出されたカードＩＤと残金額とを記憶部３１５に記憶するとともに、これら読み出されたカードＩＤと残金額と、使用許諾要求とを管理コンピュータ１００に対して送信し、該管理コンピュータ１００より使用許諾と使用禁止度数とを受信した場合には、挿入されたプリペイドカード３７の残金額の範囲内の度数の内、前記使用禁止度数を除く度数を使用可能とし、使用不可を受信した場合には、該受付けたプリペイドカード３７を使用不可として返却する受付処理を実施するようになっている。
【００３３】
また、本実施例のカードユニット３では、プリペイドカード３７が挿入されて前述の受付処理により使用可能とされた場合において、該プリペイドカード３７より読み出されて記憶部３１５に記憶された残金額に基づき、該残金額の範囲内における貸出単位の最大回数（つまりは残金額が該当する度数）を前記度数表示部１７に表示するとともに、この度数を使用して前記パチンコ機２の遊技に使用されるパチンコ玉の貸出を行う貸出処理が実施可能とされている。尚、この際、前記管理コンピュータ１００より受信した前記使用禁止度数に残存度数が達した場合には、それ以上の度数を使用した貸出処理を行わないようになっている。
【００３４】
この貸出処理の制御状況を図７に基づき説明すると、パチンコ機２の電源投入前の状態において前述したＰＲＤＹ、ＢＲＤＹ、ＢＲＱ、ＥＸＳの各信号はＨＩＧＨの状態であり、前記パチンコ機２の賞球制御基板２３７は、前記カードユニット３と接続されて通信が可能な状態であるとスタンバイ状態となり、前記ＰＲＤＹをＬＯＷとする（Ｓ１）。
【００３５】
このようにＰＲＤＹが出力されている状態において前記貸出ボタンスイッチ１６が操作されると、カードユニット３のＭＰＵ３１３は、前記ＢＲＤＹをＬＯＷとし（Ｓ２）、この状態において、更に前記ＢＲＱをＬＯＷとする（Ｓ３）。
【００３６】
次いで、前記賞球制御基板２３７は、前記ＢＲＤＹのＬＯＷを検出した状態においてＢＲＱのＬＯＷを検出すると、パチンコ玉の払い出しが可能であるか確認し、可能である場合には、前記ＥＸＳをＬＯＷとする（Ｓ４）。
【００３７】
該ＥＸＳのＬＯＷを検出したＭＰＵ３１３は、前記ＢＲＱをＨＩＧＨとし（Ｓ５）、該ＢＲＱのＨＩＧＨを検出した賞球制御基板２３７は、玉払出装置２９７に玉払出信号を出力し、これに基づき１度数に該当する玉数（本実施例では２５玉）の払出が実施されるとともに、該払出の終了に基づき、前記ＥＸＳをＨＩＧＨとする（Ｓ６）。
【００３８】
該ＥＸＳのＨＩＧＨを検出したＭＰＵ３１３は、前記記憶部３１５に記憶されている度数から１度を減算するとともに、前記度数表示部１７に表示されている度数から１度を減算して表示更新する。
【００３９】
ＭＰＵ３１３は、これら（Ｓ３）〜（Ｓ６）の信号制御並びに記憶部３１５や度数表示部１７における度数の減算更新制御を、１回の貸出ボタンスイッチ１６の操作に基づいて貸し出される度数分繰返し実施し、これら制御が終了した後、ＢＲＤＹをＨＩＧＨとして（Ｓ７）、貸出処理を終了する。
【００４０】
このようにカードユニット３のＭＰＵ３１３から出力されるＢＲＱのＨＩＧＨの検出回数に基づき、前記賞球制御基板２３７は１度数分に該当する所定数量（２５玉）のパチンコ玉の貸出を実施するようになっており、このようにして貸出されたパチンコ玉を使用して遊技者はパチンコ機２における遊技を実施できるようになっている。
【００４１】
尚、本実施例においては、前記Ｓ６が終了した段階で記憶部３１５の度数並びに度数表示部１７の度数から１度を減算するとともに、残金額から１００円（徴収方法が使用時の場合には１０５円）を減算するようにしているが、減算後の残存度数が前記使用禁止度数未満とならない場合には、前記Ｓ３〜Ｓ６の処理を貸し出される度数分（例えば５度分の貸出であれば５回）繰返し実施した後、すなわち、貸し出される度数分のパチンコ玉が払い出された後、該貸し出された度数（例えば５度分の貸出であれば５度）を度数表示部１７の度数から減算するとともに、記憶部３１５の残金額から５００円を減算するようにしても良い。
【００４２】
また、前記カードユニット３においては、プリペイドカード３７の受付中において紙幣が挿入され、該挿入紙幣が紙幣識別ユニット３１１にて識別されると、該識別された金額が未入金の金額として記憶部３１５に記憶されるとともに、合計金額表示部３０４にその金額が表示されるようになっている。
【００４３】
これら前記記憶部３１５に記憶された入金金額は、前記受付中のプリペイドカード３７に残存する金額に加算されて新たな残金額が算出され、該算出された新たな残金額が受付中のプリペイドカード３７に記録されるとともに、該入金金額や新たな残金額等の追加入金の情報が前記管理コンピュータ１００に送信されて、前記カード管理データベースの該入金金額や新たな残金に対応するデータが更新されるとともに、購入総額や該入金金額に対応する徴収税額（間接税額）が算出されて、徴収税額に加算更新されるとともに、使用禁止度数が該加算更新後の新たな徴収税額に対応する大きさの度数に更新された後、カード挿入口３０５から、その先端部分が目視可能に排出されるようになっている。
【００４４】
これら排出されたプリペイドカード３７は、内方に挿入された場合または挿入ボタンスイッチ３０８が入力された場合または所定時間（例えば５秒間）経過して抜き取られていない場合に、前記排出されたプリペイドカード３７は自動的に内部に取り込まれ、前述の受付処理が実施されて再び使用可能な状態となり、追加入金処理により加算された残金額を使用して再び貸出処理が実施可能となる。尚、本実施例ではこのように、追加入金されたプリペイドカード３７を、その先端部分を目視可能に一度排出するようにしており、このようにすることは、遊技者は追加入金が実施されたことを明確に認識することができることから好ましいが、本発明はこれに限定されるものではなく、これらの排出を実施することなく、即追加入金された金額を遊技に使用できるようにしても良い。
【００４５】
また、本実施例のカードユニット３においては、挿入されているプリペイドカード３７より読み出された残金額が残存する場合に返却ボタンスイッチ１５が入力されると、記憶部３１５に未入金の金額が記憶されている場合には、該記憶部３１５に記憶されている残金額を挿入されているプリペイドカード３７の残金額に加算更新した後、カード挿入口３０５より排出して遊技者に返却するようになっている。
【００４６】
また、本実施例のカードユニット３においては、例えば停電時等において不意に外部からの電源供給が遮断された場合においても、前記記憶部３１５が、前記バックアップ電源３１７により付勢されて、該記憶部３１５における記憶内容が電源復旧時まで保持されるとともに、外部からの電源供給が復旧して再起動された際に、電源遮断時の状態に回復するようになっており、例えば、電源遮断以前に紙幣が識別され、追加入金処理が実施されるまでに電源供給が遮断された場合等に、これら識別された未入金の金額の記憶が消去されてしまう等の不都合を回避できるようになっている。
【００４７】
また、本実施例のカードユニット３においては、前記貸出処理が実施される毎に、貸出処理がなされたことを示す貸出情報と、挿入されているプリペイドカード３７のカードＩＤと貸出に使用された度数と、該カードユニット３の装置ＩＤとが管理コンピュータ１００に送信され、図１３に示すカード管理データベースが更新されるようになっている。
【００４８】
また、前記追加入金処理が実施される毎に、追加入金処理がなされたことを示す入金情報と、追加入金がなされたプリペイドカード３７のカードＩＤと入金金額並びに更新後の新たな残金額とが管理コンピュータ１００に送信され、カード管理データベースが更新されるようになっている。
【００４９】
次に、遊技用記録媒体であるプリペイドカード３７の発行を行うカード発行機５００を図８並びに図９に基づき説明すると、該カード発行機５００は、前記遊技島１の端部位置に配置され、その外観形状は図８に示すようになっており、その前面に、プリペイドカード３７の購入が可能であることを遊技者に報知するための動作表示部５０１と、発行されたプリペイドカード３７が排出されるカード発行口５０２と、該カード発行口５０２よりプリペイドカード３７が排出されていることを点滅により報知するカードインジケータ５０３と、紙幣を挿入可能とされ、且つお釣りとなる紙幣が排出される紙幣挿入排出口５０４と、該紙幣挿入排出口５０４からの紙幣の返却を点滅により報知する紙幣インジケータ５０５と、前記紙幣挿入排出口５０４に挿入された紙幣の合計金額を表示するための金額表示部５０７と、１０００円、３０００円、５０００円から発行される新規プリペイドカード３７の購入額を選択するための購入額選択ボタンスイッチスイッチ５０８と、プリペイドカード３７の発行を中断するための中止ボタンスイッチスイッチ５０９と、が設けられている。
【００５０】
このカード発行機５００の構成について説明すると、該カード発行機５００は、前記動作表示部５０１や、金額表示部５０７や、購入額選択ボタンスイッチスイッチ５０８や、中止ボタンスイッチ５０９や、カードインジケータ５０３や、紙幣インジケータ５０５に加えて、図９に示すように、前記カード発行口５０２に連設され、プリペイドカード３７の記録情報の読み出し並びに書き込み、消去等を行うとともに、後部に発行されるプリペイドカード３７を貯留、供給する供給ユニット（図示略）を具備するＩＣカードリーダライタ５１５と、前記紙幣挿入排出口５０４に連設され、挿入された紙幣の識別を行うとともに、釣り銭となる紙幣の返却を行う紙幣識別ユニット５１６と、前記金額表示部５０７の表示動作の制御を行う表示ドライバ５２０と、前記プリペイドカード３７より読み出しまたは書き込みされる各種データ等が記憶されるとともに、後述するＭＰＵ５２３の制御内容が記述された制御プログラム等が記憶された記憶部５２１と、通信ケーブル８を介して前記管理コンピュータ１００とデータ通信を行うための通信部５２２と、これら各部の制御等を行うとともに、釣り銭の金額等を算出するマイクロプロセッシングユニット（ＭＰＵ）５２３と、を具備し、これら各部は図９に示すように接続されており、前記プリペイドカード３７の発行が実施可能とされている。
【００５１】
次いで、本実施例に用いた精算装置４００について図１０並びに図１１に基づき説明すると、該精算装置４００は、前記発行装置５００と同様に前記遊技島１の端部位置等の遊技場内の所定位置に配置され、その外観形状は図１０に示すようになっており、その前面に、プリペイドカード３７の精算が可能であることを遊技者に報知するための動作表示部４０１と、精算するプリペイドカード３７が挿入可能とされているカード挿入口４０２と、該カード挿入口４０２にプリペイドカード３７が受付け中であることを点滅により報知するカードインジケータ４０３と、前記カード発行口４０２に挿入されたプリペイドカード３７に記録されている残金額や、該プリペイドカード３７から徴収される総間接税額である総消費税額を表示するための表示手段としての表示部４０７と、図１５に示すような購入金額や入金金額並びに総徴収税額である総消費税額等の内容を含む精算明細のレシートが発行されるレシート発行口４０４と、前記表示部４０７に表示されている精算金額の精算を実施する際に入力操作される精算ボタンスイッチスイッチ４１０と、該精算処理を中断する際に入力操作される中止ボタンスイッチ４０９と、プリペイドカード３７の精算に伴い払い出される硬貨が排出されるコイン排出口４１１と、該コイン排出口４１１からの硬貨の排出を点滅により報知するコインインジケータ４１２と、プリペイドカード３７の精算に伴い払い出される紙幣が排出される紙幣排出口４１３と、該紙幣排出口４１３からの紙幣の排出を点滅により報知する紙幣インジケータ４１４と、が設けられている。
【００５２】
また、該精算装置４００の前面は、開閉自在とされた開閉扉とされており、該開閉扉を解放することで、図示しない制御ユニットが露出するようになっていて、該制御ユニットの内部には、後述するマイクロプロセッシングユニット（ＭＰＵ）４２３や通信部４２２並びに記憶部４２１等が内在されているともに、その前面には、各種の設定操作等を行うための操作部や、電源のＯＮ／ＯＦＦを行うためのメインスイッチ４２９等が設けられており、これら各部は、図１１に示すように、該制御ユニット４２５内部の制御基板（図示略）に実装されている前記ＭＰＵ４２３と接続されている。
【００５３】
また、該ＭＰＵ４２３には、図１１に示すように、前記動作表示部４０１や、表示部４０７や、精算ボタンスイッチ４１０や、中止ボタンスイッチ４０９や、カードインジケータ４０３や、紙幣インジケータ４１４や、コインインジケータ４１２に加えて、前記カード挿入口４０２に連設され、プリペイドカード３７の記録情報の読み出し並びに書き込み、消去等を行う記録媒体処理手段としてのＩＣカードリーダライタ４１５と、前記コイン排出口４１１に連設され、硬貨の払い出しを実施する硬貨払出ユニット４１８と、前記紙幣排出口４１３に連設され、紙幣の払い出しを実施する紙幣払出ユニット４１９と、前記レシート発行口４０４に連設されて、前記精算明細のレシートを印刷するためのレシートプリンタ４３０と、前記表示部４０７の表示動作の制御を行う表示ドライバ４２０と、前記プリペイドカード３７より読み出された各種データ等が記憶されるとともに、ＭＰＵ４２３が行う制御内容が記述された制御プログラム等を記憶するための記憶部４２１と、通信ケーブル８を介して前記管理コンピュータ１００とデータ通信を行うための通信部４２２と、が接続されており、前記マイクロプロセッシングユニット（ＭＰＵ）４２３にて、該接続されている各部の動作が制御されて所定の精算処理が実施されるようになっている。
【００５４】
次いで、これらカードユニット３やカード発行機５００、精算装置４００が接続された本実施例の管理装置である管理コンピュータ１００について説明すると、該管理コンピュータ１００は、図１２に示すように、コンピュータ内部にてデータの送受を行うデータバス１１２に、該管理コンピュータが実施する各種処理を行う中央演算処理装置（ＣＰＵ）１１３、ＲＡＭ１０８、時刻情報やカレンダ情報を出力するリアルタイムクロック１１４、表示装置１０７、キーボードやマウス等の入力装置１１０、プリンタ１０４、磁気ディスクや光磁気ディスクから成り、徴収された間接税額に関する情報を記憶するための間接税額記憶手段としての記憶装置１０９、前記各カードユニット３や各カード発行機５００並びに精算装４００とのデータ通信を行う第１の通信インターフェィス１０６、営業終了時において集計された総徴収税額を含む営業情報を第三者機関であるカード会社に設置されている管理サーバ１２０に送信するための第２の通信インターフェィス１０５が接続された通常のコンピュータである。
【００５５】
また、前記記憶装置１０９には、該管理コンピュータ１００の各種処理を実施するための処理プログラムに加えて、図１３に示すように、各プリペイドカード３７のＩＤに対応して、各プリペイドカード３７の発行時の購入金額に相当する発行金額と、前記カードユニット３において追加入金された総入金金額と、これら発行金額と総入金金額との和である購入総額と、遊技に使用された使用金額と、精算された金額と、残金額とともに、前記購入総額に対する総徴収税額と、該総徴収税額を徴収するのに必要となる度数である使用禁止度数が登録されたカード管理データベース（ＤＢ）や、前日以前において徴収した各営業日毎の店舗全体の発行総額、入金総額、購入総額並びに徴収金額が登録された徴収金額履歴が記憶されている。
【００５６】
尚、本実施例においては、これらプリペイドカード３７の残金額は、その当日のみ精算可能とされ、前日以前のこれら残金額は精算無効とされることから、前記カード管理データベース（ＤＢ）のデータは、営業終了時において集計されて徴収金額履歴に登録された後、全てリセットされるようになっている。また、これら営業終了時において集計されて徴収金額の合計額や総発行金額の合計額、入金金額の合計額、使用金額の合計額等の営業情報が、前記第三者機関であるカード会社に設置されている管理サーバ１２０に送信されて、これら営業情報が第三者機関であるカード会社にて管理されるようになっている。
【００５７】
また、本実施例の管理コンピュータ１００には、図１６に示すように、間接税である消費税の徴収を実施するかしないかを設定するととともに、該徴収する消費税の徴収方法、並びに徴収税率を設定可能な税金設定画面が設けられており、該税金設定画面にて消費税の徴収の実施・非実施を設定できるとともに、消費税を徴収する場合に、該消費税を利用時に徴収する外税方法と、該消費税を精算時に徴収する内税方法のいずれか一方を選択できるようになっている。
【００５８】
このように、本実施例では税金設定画面にて消費税の徴収方法を選択できるようになっており、このようにすることは、遊技場の運営方法に合わせて消費税の徴収方法を適宜に変更できることから好ましいが、本発明はこれに限定されるものではなく、これら消費税の徴収方法を前記精算時に徴収する内税方法に一義的に固定して選択不可な構成としても良い。
【００５９】
また、本実施例の税金設定画面には、課税徴収税率の設定項目が設けられていて、該課税徴収税率の設定項目にて消費税率を選択設定できるようになっており、このようにすることは、これら消費税率が変更しても、プログラム等の変更を行うことなく、速やかに新たな税率に対応することができるようになることから好ましいが、本発明はこれに限定されるものではなく、これら課税徴収税率の変更が不可とされた構成としても良い。
【００６０】
これら税金設定画面の前記課税徴収税率の設定項目にて設定された税徴税率を含む設定内容は、設定ファイルとして前記発行装置５００やカードユニット３へ送信されて、記憶されている設定ファイルが更新されるようになっており、該設定ファイルに基づいて、設定された税率に基づく徴収額が利用時において徴収されるようになっている。
【００６１】
また、本実施例の税金設定画面の下部位置には、図１６に示すように、各プリペイドカード３７から徴収された徴収金額、つまりは前記カード管理データベース（ＤＢ）における徴収金額の総合計の金額が、本日の徴収総額として集計されて表示されるようになっているとともに、該本日の徴収総額の下部に設けられた「前日以前の徴収金額履歴の表示」の選択入力部を選択入力することで、前記記憶装置１０９に記憶されている徴収金額履歴が表示され、該表示された徴収金額履歴を該徴収金額履歴の表示画面に設けられた「プリント」の選択入力部（図示略）を選択することで、前記プリンタ１０４にて徴収金額履歴が印刷出力されるようになっている。
【００６２】
以下、本実施例の遊技用システムにおけるプリペイドカードの発行、精算並びに消費税の徴収処理の流れについて、以下に説明する。
【００６３】
まず、前記管理コンピュータ１００の税金設定画面において、税金の徴収方法として「精算時（内税）」を選択し、税率として「５％」を設定した場合について説明する。
【００６４】
遊技者が購入に供したい所望の金額以上の紙幣を前記カード発行機５００の紙幣挿入排出口５０４に挿入すると、該挿入紙幣が紙幣識別ユニット５１６により識別され、該識別紙幣の合計金額が前記ＭＰＵ５２３にて算出されて前記金額表示部５０７に表示される。
【００６５】
この状態において遊技者が、金額表示部５０７に表示される合計金額の範囲内の金額に対応する購入額選択ボタンスイッチ５０８を選択すると、前記ＭＰＵ５２３がプリペイドカード３７の購入額を特定するとともに、発行するプリペイドカード３７をＩＣカードリーダライタ５１５の所定位置にセットさせ、該発行するプリペイドカード３７のカードＩＤを読み出すとともに前記にて特定した購入額を残金額として記録した後、該プリペイドカード３７をカード発行口５０２より排出・発行する。
【００６６】
この際、これら発行するプリペイドカード３７の前記カードＩＤと購入額が前記管理コンピュータ１００へ送信されることで、該管理コンピュータ１００では、前記カード管理ＤＢの該カードＩＤに対応する発行金額、並びに残金額に前記購入額を登録するとともに、該購入額が該当する間接税額を算出して「間接税額」の項目に登録し、且つ、該間接税額を徴収可能な度数の大きさを特定して使用禁止度数に登録する。
【００６７】
この発行されたプリペイドカード３７を使用するために、カードユニット３のカード挿入口３０５に該プリペイドカード３７を挿入すると、ＩＣカードリーダライタ３１０により該プリペイドカード３７の残金額やカードＩＤを含む記録情報が読み出され、これら読み出された残金額やカードＩＤと使用許諾要求とが前記管理コンピュータ１００に送信されて、該管理コンピュータ１００にて残金額の照合が実施される。
【００６８】
該管理コンピュータ１００における照合において、前記カード管理データベースにカードＩＤに対応付けて登録されている残金額が一致した場合には、使用許諾とともに使用禁止度数がカードユニット３に返信されて、前記残金額に対応する度数、例えば１０００円が発行額である場合には、残金額も１０００円であることから１０００円に対応する１０度数が前記度数表示部１７に表示されることで、遊技者は、前記貸出ボタンスイッチ１６を操作して、パチンコ球の貸出を受けて遊技を実施できる。尚、前記管理コンピュータ１００から返信されてきた使用禁止度数は、前記記憶部３１５の使用禁止度数レジスタに更新記憶される。
【００６９】
これら貸出によって、残度数が使用禁止度数である１と成った場合には、該残度数を使用した貸出を受けられないことから、前記紙幣挿入口３０２に例えば１０００円紙幣を挿入して追加入金を行う。
【００７０】
この紙幣挿入口３０２から挿入された１０００円紙幣は、前記紙幣識別ユニット３１１にて識別され、該識別結果がＭＰＵ３１３に出力されることで、ＭＰＵ３１３が１０００円の紙幣挿入があったものと判断し、該１０００円の入金額を前記残度数である１度数に対応する残金額である１００円に加算して新たな残金額を算出し、これら追加入金額とカードＩＤ、新たな残金額と装置ＩＤとを管理コンピュータ１００に送信し、該管理コンピュータ１００におけるカード管理データベースのデータ更新完了の返信に基づき、該新たな残金額である１１００円をプリペイドカード３７に更新記録してカード挿入口３０５から排出・返却する。
【００７１】
この際管理コンピュータ１００は、前記追加入金額とカードＩＤ、新たな残金額と装置ＩＤの受信に基づき、カード管理データベースのカードＩＤに対応する総入金金額、総購入金額、残金額に追加入金額を加算更新するとともに、該追加入金額が該当する間接税額、例えば１０００円が追加入金額の場合には４８円を税率から算出し、該算出した間接税額である４８円を、既に間接税額に登録されている金額、例えば４８円に加算更新して９６円とした後、該加算更新後の新たな間接税額である９６円を徴収可能な度数「１」に使用禁止度数を更新する。
【００７２】
この際、前記に示した例示のように加算更新前の金額が４８円で、加算更新後の金額が９６円である場合には、加算更新の前後で使用禁止度数は「１」となり、使用禁止度数は「１」が変化しない場合もあるが、例えば、この後、更に１０００円の追加入金がされた場合には、加算更新前の金額が９６円で、加算更新後の金額が１４４円となり、使用禁止度数は「２」に変更される。
【００７３】
なお、本実施例では間接税額を徴収可能な度数の大きさに使用禁止度数として設定したが、例えば１０００円が追加入金されたときには使用禁止度数に「１」を加算更新するなど、入金額に応じて予め設定された使用禁止度数を加算更新させるようにしても良い。
【００７４】
この排出・返却されたプリペイドカード３７は、所定時間の経過或いは挿入ボタンスイッチ３０８の操作により再度挿入され、前記プリペイドカード３７の挿入時と同様に、記録情報の読み出しと管理コンピュータ１００による照合が実施されて、使用許諾ともにカード管理データベースに登録されている使用禁止度数が返信されることで、前記残金額である１１００円に対応する１１度数が前記度数表示部１７に表示されるとともに、該１１度数から前記使用禁止度数「１」を差し引いた１０度数を遊技に使用することができる。
【００７５】
これら度数を使用した遊技が終了した後に、プリペイドカード３７に残金額が存在する場合には、これら残金額を前記精算装置４００にて、当日に限り精算することができるようになっており、これら精算処理の流れについて、図１４に基づき説明すると、まず遊技者がプリペイドカード３７の精算を所望する場合には、該プリペイドカード３７を前記カード挿入口４０２に挿入する。
【００７６】
該挿入はＳｄ１にて検出され、Ｓｄ２に進んで該挿入されたプリペイドカード３７から、前記ＩＣカードリーダライタ５１５により記録情報を読み出した後、該読み出した記録情報に含まれるカードＩＤと残金額並びに該精算装置４００の装置ＩＤと可否判定要求とを前記管理コンピュータ１００に送信する（Ｓｄ３）。
【００７７】
この可否判定要求を含む送信データの受信に基づき、該管理コンピュータ１００は、受信したデータ中のカードＩＤに対応して前記カード管理データベースに登録されている登録データを抽出し、受信した残金額との照合が一致し、且つブラックリストに該当しない場合には精算可と判定し、該判定結果とともに前記カード管理データベースにおけるカードＩＤに対応する登録データを読み出して精算装置４００へ返信し、判定結果が不一致の場合は精算不可と判定する可否判定処理を実施し（ＳＫ１）、該判定結果を送信元の精算装置４００へ返信する（ＳＫ２）。
【００７８】
精算装置４００は、該返信された判定結果並びに登録データを受信した後（Ｓｄ４）、該受信した判定結果が精算可であるか否かを判定し、精算不可である場合には、Ｓｄ１０へ進んで所定のエラー処理（本実施例では、該受付けたプリペイドカード３７を返却せずに前記表示部４０７にエラーである旨の所定メッセージを表示する）を実施し、精算可である場合にはＳｄ６へ進んで、プリペイドカード３７の残金額と総徴収税額と該残金額から総徴収税額を差し引いた精算金額とを前記表示部４０７に表示し、該表示の後、Ｓｄ７へ進んで、精算ボタンスイッチ４１０の入力に基づき精算金額の貨幣の払出を実施するとともに、前記のように管理コンピュータ１００から返信されてきた登録データに基づいて図１５に示すようにレシートプリンタ４３０にて印刷されたレシートを発行する（Ｓｄ８）。このレシート発行の後、該精算金額や精算したプリペイドカード３７のカードＩＤ並びに装置ＩＤと精算完了を示す所定データとを含む精算情報を前記管理コンピュータ１００へ送信する（Ｓｄ９）。
【００７９】
この精算情報の受信に基づき管理コンピュータ１００は、前記カード管理データベースに受信したカードＩＤに対応して登録されている各データを更新するとともに、該精算履歴を精算履歴テーブルに登録する。
【００８０】
以上説明したように、本実施例の遊技用システムによれば、間接税である消費税を徴収して、該消費税の徴収に伴って発生する貸出単位である２５球＝１度数に相当する１００円未満の端数金額が生じても、該端数金額に相当するパチンコ球の貸出処理を実施するための大規模なプログラムの変更等の改造を、遊技機であるパチンコ機２に実施する必要がなく、これら間接税の徴収に対応する遊技用システムを安価にて提供することができるばかりか、例えば前記のように５５円が残金額である場合に、これら残金額に基づくパチンコ球の貸出を実施しようとすると、パチンコ球の貸し出し単価である４円／球にて５５円を除した場合には、１４球を貸し出す場合には５６円となり、１円を遊技場側が負担する必要が生じ、一方、１３球を貸し出す場合には５２円となり３円を遊技者が損することになることから、いずれにしても遊技場側或いは遊技者に不公正なものとなってしまうのに対し、前記端数金額である５５円を精算装置にて精算できるようになることから、これら端数金額を遊技客並びに遊技場の双方にとって公平に処理することもできる。
【００８１】
前記各実施例における各要素は、本発明に対して以下のように対応している。本発明の請求項１は、貨幣を受付けて、該受付け貨幣の識別を行う貨幣識別手段（紙幣識別ユニット５１６）と、該貨幣識別手段（紙幣識別ユニット５１６）にて識別された受付け金額に基づき、遊技に使用可能な利用可能金額の大きさを特定可能な情報（残金額）が記録された遊技用記録媒体（プリペイドカード３７）を発行する発行装置（カード発行機５００）と、前記遊技用記録媒体（プリペイドカード３７）を受付けて、該受付けた遊技用記録媒体（プリペイドカード３７）の記録情報を少なくとも読み出す記録媒体処理手段（ＩＣカードリーダライタ３１０）と、該記録媒体処理手段にて読み出した前記遊技用記録媒体（プリペイドカード３７）に記録されている情報から特定される大きさの利用可能金額（残金額）を遊技に使用させるための使用処理手段（ＭＰＵ３１３、Ｉ／Ｏポート３１４）と、を備える遊技用装置（カードユニット３）と、前記遊技用記録媒体（プリペイドカード３７）を受付けて、該受付けた遊技用記録媒体（プリペイドカード３７）の記録情報を少なくとも読み出す記録媒体処理手段（ＩＣカードリーダライタ４１５）と、該記録媒体処理手段（ＩＣカードリーダライタ４１５）にて読み出した前記遊技用記録媒体（プリペイドカード３７）に記録されている情報から特定される大きさの利用可能金額（残金額）の貨幣を払い出す精算処理手段（ＭＰＵ４２３、硬貨払出ユニット４１８、紙幣払出ユニット４１９）と、を備える精算装置４００と、前記発行装置（カード発行機５００）と遊技用装置（カードユニット３）並びに前記精算装置４００と通信可能であって、該発行装置（カード発行機５００）と遊技用装置（カードユニット３）並びに前記精算装置４００に関する情報の管理を行う管理装置（管理コンピュータ１００）と、から成る遊技用システムであって、前記遊技用記録媒体（プリペイドカード３７）に記録されている情報から特定される発行金額から該当する間接税額を特定する間接税額特定手段（管理コンピュータ１００）と、該間接税額特定手段（管理コンピュータ１００）にて特定された間接税額（消費税額）が該当する大きさの遊技用価値（度数）の前記使用処理手段（ＭＰＵ３１３、Ｉ／Ｏポート３１４）における使用を禁止する使用禁止手段と（ＭＰＵ３１３）、を備え、前記精算装置４００は、前記使用禁止手段（ＭＰＵ３１３、Ｉ／Ｏポート３１４）にて使用禁止とされた大きさの遊技用価値（度数）に相当する金額から前記間接税額特定手段（管理コンピュータ１００）にて特定された間接税額を差し引いた金額の貨幣を払い出す。
【００８２】
本発明の請求項２は、前記遊技用装置（カードユニット３）は、貨幣を受付けて該受付け貨幣の識別を行う貨幣識別手段（紙幣識別ユニット３１１）を有し、該該貨幣識別手段（紙幣識別ユニット３１１）における識別貨幣金額の範囲内の所定額を前記記録媒体処理手段（ＩＣカードリーダライタ３１０）に受け付け中の前記遊技用記録媒体（プリペイドカード３７）から読み出した情報より特定される大きさの利用可能金額（残金額）に加算更新する価値加算手段（ＭＰＵ３１３、ＩＣカードリーダライタ３１０）を備え、前記間接税額特定手段（管理コンピュータ１００）は、前記価値加算手段（ＭＰＵ３１３、ＩＣカードリーダライタ３１０）に供された金額が該当する間接税額（消費税額）を前記発行金額から特定した間接税額に加算し、前記使用禁止手段（ＭＰＵ３１３）は、該加算後の間接税額が該当する大きさの遊技用価値（使用禁止度数）の前記使用処理手段（ＭＰＵ３１３、Ｉ／Ｏポート３１４）における使用を禁止する。
【００８３】
本発明の請求項３は、前記管理装置（管理コンピュータ１００）は、前記間接税の税率を設定するための間接税率設定手段（税金設定画面）を備え、前記間接税額特定手段（管理コンピュータ１００）は、前記間接税率設定手段（税金設定画面）にて設定された税率に基づいて、前記間接税額（消費税額）を特定する。
【００８４】
本発明の請求項４は、前記管理装置（管理コンピュータ１００）は、徴収した間接税額を集計する間接税額集計手段（ＣＰＵ１１３）と、該間接税額集計手段（ＣＰＵ１１３）にて集計された間接税額に関する情報を記憶するための間接税額記憶手段（記憶装置１０９）と、該間接税額記憶手段（記憶装置１０９）に記憶されている間接税額に関する情報を出力するための出力手段（表示装置１０７、プリンタ１０４）を備える。
【００８５】
本発明の請求項５は、前記管理装置（管理コンピュータ１００）は、前記間接税額記憶手段（記憶装置１０９）に記憶されている間接税額に関する情報を第三者機関へ送信するための送信手段（第２の通信インターフェイス１０５）を備える。
【００８６】
本発明の請求項６は、前記精算装置４００は、少なくとも受付けた遊技用記録媒体（プリペイドカード３７）から徴収した総間接税額を表示する表示手段（表示部４０７）を備える。
【００８７】
本発明の請求項７は、前記精算装置４００は、少なくとも受付けた遊技用記録媒体（プリペイドカード３７）から徴収した総間接税額が記録されたレシートを発行する発行手段（レシートプリンタ４３０）を備える。
【００８８】
以上、本発明の実施形態を図面により前記実施例にて説明してきたが、本発明はこれら実施例に限定されるものではなく、本発明の主旨を逸脱しない範囲における変更や追加があっても本発明に含まれることは言うまでもない。
【００８９】
例えば、前記各実施例では、間接税額の特定並びに使用禁止度数の特定を、管理コンピュータ１００にて実施するようにしているが、本発明はこれに限定されるものではなく、これら間接税額の特定並びに使用禁止度数の特定を管理コンピュータ１００から配信された設定ファイルに基づき、カード発行機５００のＭＰＵ５２３や、カードユニット３のＭＰＵ３１３が実施するようにしても良い。
【００９０】
また、前記実施例では実施していないが、前記プリペイドカード３７に、前記使用禁止度数を記録しておき、該プリペイドカード３７にて使用禁止度数を特定できるようにしても良い。
【００９１】
また、前記実施例では、カードユニット３において現金である紙幣を受付けて追加入金を実施できる構成としているが、本発明はこれに限定されるものではなく、これらカードユニット３を追加入金機能を有しないものとしても良い。
【００９２】
また、前記実施例では、前記税金設定画面において、その営業日において徴収された間接税である消費税の総額を、集計して表示出力するとともに、これら集計された前日以前の徴収総額を徴収金額履歴として記憶し、表示出力並びにプリント出力できるようにしているが、本発明はこれに限定されるものではなく、これら徴収税額の集計、記憶、出力を実施しない構成としても良い。
【００９３】
また、前記実施例では、管理コンピュータ１００に第２の通信インターフェイス１０５を設け、第三者機関であるカード会社に間接税額に関する情報である営業情報を送信するようにしているが、本発明はこれに限定されるものではなく、これら第三者機関への間接税額に関する情報の送信を行わない構成としても良い。更には、これら間接税額に関する情報をカード会社以外の税金を管理する管理会社へ送信するようにしても良い。
【００９４】
また、前記実施例においては、前記精算装置４００が受付けたプリペイドカード３７から徴収した総徴収税額を、管理コンピュータ１００から返信されてくる前記登録データに基づいて前記表示部４０７に表示するようにしているが、本発明はこれに限定されるものではなく、これら総徴収税額の表示を実施しない構成としても良い。
【００９５】
また、前記実施例においては、レシートプリンタ４３０を前記精算装置４００に設け、受付けたプリペイドカード３７から徴収した総間接税額を記録したレシートを発行するようにしているが、本発明はこれに限定されるものではなく、これらレシートを発行しない構成としても良い。
【００９６】
また、前記実施例ではプリペイドカード３７に残存する残金額の精算は、その当日においてのみ有効とされているが、本発明はこれに限定されるものではなく、これら残金額の精算有効期限等は適宜に選択すれば良い。
【００９７】
また、前記実施例では遊技用記録媒体としてプリペイドカードを例に説明したが、本発明はこれに限定されるものではなく、これら遊技用記録媒体としては、会員登録を実施した遊技者に発行された会員カードにプリペイド機能が付加されたものであっても良いことは言うまでもない。
【００９８】
また、前記実施例では、精算装置４００を単体にて設置しているが、本発明はこれに限定されるものではなく、これら精算装置４００をその他の装置、例えば前記カード発行機５００やカードユニット３と一体として設けるようにしても良い。
【００９９】
また、前記実施例では遊技用記録媒体として非接触型ＩＣカードを用いているが、本発明はこれに限定されるものではなく、これを磁気カードや接触型のＩＣカード、更には携帯電話等としても良く、これら遊技用記録媒体としては、残金額を特定可能な情報を読み出し可能に記録でき、遊技者が携行できるものであれば、任意の記録媒体を使用することができる。
【０１００】
また、前記実施例に用いた遊技用記録媒体としてのプリペイドカード３７の形状はカード状とされているが、本発明はこれに限定されるものではなく、例えば円盤形状や球状、チップ状等その他の形状とされていても良い。
【０１０１】
また前記実施例では、前記度数表示部１７に度数を表示するようにしているが、本発明はこれに限定されるものではなく、これら度数表示部１７に残金額を表示するようにしたり、更には徴収した税金額と残金額とを表示するようにしても良い。
【０１０２】
また前記実施例では、遊技機であるパチンコ機２に使用される遊技媒体としてパチンコ玉を用いているが、これら遊技媒体をコインや点数、更には後述する画像式のパチンコ機やスロットマシン、パチロット等における画像にて形成されたパチンコ玉やコイン等としても良く、これら遊技媒体は遊技において使用される媒体であれば、本発明の遊技媒体に含まれるものであり、その形態が限定されるものではない。
【０１０３】
また前記実施例においては、遊技機として遊技媒体であるパチンコ玉が外部に払い出される通常のパチンコ機２を用いているが、本発明はこれら通常のパチンコ機のみならず、コインやパチンコ玉を用いて遊技を行うスロットマシンやパチロット、パチンコ玉やコインが外部に排出されることなく遊技可能な封入式のパチンコ機や完全クレジット式のスロットマシン及びパチロット、さらにはこれら遊技媒体を用いずにデータ等により遊技可能な遊技機や、遊技盤やパチンコ玉が画像にて表示される画像式のパチンコ機や、リールが画像にて表示される画像式のスロットマシン及びパチロットにも適用可能であることはいうまでもなく、これら遊技機が限定されるものではない。
【０１０４】
また前記実施例においては、プリペイドカード３７に残金額とカードＩＤの双方を記録しているが、本発明はこれに限定されるものではなく、プリペイドカード３７にはカードＩＤのみが記録されていて、該カードＩＤを前記管理コンピュータ１００に送信することで、管理コンピュータ１００から該プリペイドカード３７の残金額を入手するようにしても良いし、或いは残金額のみをプリペイドカード３７に記録しておき、前記管理コンピュータ１００ではプリペイドカード３７の残金管理を実施しない構成としても良い。
【０１０５】
また前記実施例においては、記録媒体管理装置である管理コンピュータ１００において、精算装置４００における精算可否判定を実施するようにしているが、本発明はこれに限定されるものではなく、管理コンピュータ１００にプリペイドカード３７の識別情報であるカードＩＤに対応付けて登録されている残金額を前記管理コンピュータ１００から入手して、該精算装置４００が前記精算可否判定を実施するようにしても良い。
【０１０６】
また、前記実施例では、度数表示部１７に、残金額に相当する度数、つまりは使用不可とされた使用禁止度数を含む度数を表示するようにしているが、本発明はこれに限定されるものではなく、これら度数表示部１７に表示する度数を前記使用禁止度数を残金額に相当する度数から減じた度数を表示するようにしても良い。
【０１０７】
【発明の効果】
本発明は次の効果を奏する。
（ａ）請求項１の発明によれば、前記精算装置にて、前記使用処理手段により使用禁止とされた大きさの遊技用価値に相当する金額から前記間接税額特定手段にて特定された間接税額を差し引いた金額の貨幣が払い出されることで、該間接税額を差し引いた金額が貸出単位金額未満となっても、前記精算装置にて精算されるようになるため、これら貸出単位金額未満の金額の貸出を実施するための改造を、前記遊技用装置が対応する遊技機に実施する必要がなく、間接税額の徴収に対応する遊技用システムを安価にて得ることができるばかりか、仮に税率が変更されて遊技媒体の貸し出し単価未満の金額が発生しても、これら貸し出し単価未満の金額を遊技客並びに遊技場の双方にとって公平に処理することもできる。
【０１０８】
（ｂ）請求項２の発明によれば、遊技客は、新たな現金を遊技用装置に投入して、該遊技用装置にて使用している遊技用記録媒体の残金額への金額加算を実施できるとともに、該加算金額からも間接税額を確実に徴収することができる。
【０１０９】
（ｃ）請求項３の発明によれば、前記間接税の税率が変更しても、プログラム等の変更を行うことなく、速やかに対応することができる。
【０１１０】
（ｄ）請求項４の発明によれば、前記集計された間接税額を容易に且つ正確に把握でき、課税申告に伴う間接税額の算出の労力を大幅に低減できる。
【０１１１】
（ｅ）請求項５の発明によれば、第三者による間接税額に関する情報の管理が可能となり、脱税の抑止能力を向上できる。
【０１１２】
（ｆ）請求項６の発明によれば、遊技者は徴収された総間接税額を知覚できるようになり、これら間接税の徴収に対する遊技者の不信感を軽減できる。
【０１１３】
（ｇ）請求項７の発明によれば、総間接税額が記録されたレシートが遊技者に対して発行されるようになり、これら間接税の徴収に対する遊技者の不信感をより一層軽減できる。
【図面の簡単な説明】
【図１】本発明の実施例において用いた遊技島を示す外観斜視図である。
【図２】本発明の実施例における遊技島に並設されるパチンコ機の正面図である。
【図３】本発明の実施例におけるパチンコ機の操作部を示す平面図である。
【図４】（ａ）は、本発明の実施例１におけるカードユニットの正面図であり、（ｂ）は、前記カードユニットの一部破断側面図である。
【図５】本発明の実施例におけるカードユニット並びにパチンコ機の構成を示すブロック図である。
【図６】本発明の実施例において用いたＩＣカードを示す一部破断正面図である。
【図７】本発明の実施例におけるパチンコ機の賞球制御基板とカードユニットとから出力される各信号の出力状況を示す図である。
【図８】本発明の実施例に用いたカード発行機の外観を示す斜視図である。
【図９】本発明の実施例に用いたカード発行機の構成を示すブロック図である。
【図１０】本発明の実施例に用いたカード精算装置の外観を示す斜視図である。
【図１１】本発明の実施例に用いたカード精算装置の構成を示すブロック図である。
【図１２】本発明の実施例に用いた管理コンピュータの構成を示すブロック図である。
【図１３】本発明の実施例に用いた管理コンピュータに記録されたカード管理データベース（発行・入金時（内税）が設定されている場合）の登録状況を示す図である。
【図１４】本発明の実施例に用いたカード精算装置における通常の精算処理の流れを示すフロー図である。
【図１５】本発明の実施例において、発行・入金時（内税）が設定されている場合に精算装置にて発行されるレシートを示す図である。
【図１６】本発明の実施例に用いた管理コンピュータにおける税金設定画面を示す図である。
【符号の説明】
１　　　　遊技島
２　　　　パチンコ機
３　　　　カードユニット
４　　　　紙幣搬送路
８　　　　通信ケーブル
１２　　　カード回収路
１３　　　カード搬送路
１４　　　操作部
１５　　　返却ボタンスイッチ
１６　　　貸出ボタンスイッチ
１７　　　度数表示部
１８　　　操作基板
２１　　　紙幣回収路
３７　　　ＩＣカード
１００　　管理コンピュータ
１０４　　プリンタ
１０５　　第２の通信インターフェイス
１０６　　第１の通信インターフェイス
１０７　　表示装置
１０８　　ＲＡＭ
１０９　　記憶装置
１１０　　入力装置
１１２　　データバス
１１３　　セントラルプロセッシングユニット（ＣＰＵ）
１１４　　リアルタイムクロック（ＲＴＣ）
２０３　　打球供給皿
２０５　　打球操作ハンドル
２０７　　遊技領域
２０９　　可変表示部
２３１　　遊技制御基板
２３５　　ランプ制御基板
２３７　　賞球制御基板
２７０　　音声制御基板
２８０　　表示制御基板
２９１　　発射制御基板
２９７　　玉払出装置
３０１　　動作ランプ
３０２　　紙幣挿入口
３０３　　紙幣インジケータ
３０４　　合計金額表示部
３０５　　カード挿入口
３０６　　カードインジケータ
３０７　　表示ドライバ
３０８　　挿入ボタンスイッチ
３１０　　ＩＣカードリーダライタ
３１１　　紙幣識別ユニット
３１２　　通信部
３１３　　マイクロプロセッシングユニット（ＭＰＵ）
３１４　　Ｉ／Ｏポート
３１５　　記憶部
３１６　　ＲＯＭ
３１７　　バックアップ電源
３８１　　基体
３８２　　ＩＣチップ
３８３　　パターンコイル
３８４　　フレキシブルプリント基板
３８５　　トップフィルム
４００　　精算装置
４０１　　動作表示部
４０２　　カード挿入口
４０３　　カードインジケータ
４０４　　レシート発行口
４０７　　表示部）
４０９　　中止ボタンスイッチ
４１０　　精算ボタンスイッチ
４１１　　コイン排出口
４１２　　コインインジケータ
４１３　　紙幣排出口
４１４　　紙幣インジケータ
４１５　　ＩＣカードリーダライタ
４１８　　硬貨払出ユニット
４１９　　紙幣払出ユニット
４２０　　表示ドライバ
４２１　　記憶部
４２２　　通信部
４２３　　マイクロプロセッシングユニット（ＭＰＵ）
４２９　　メインスイッチ
４３０　　レシートプリンタ
５００　　カード発行機
５０１　　動作表示部
５０２　　カード発行口
５０３　　カードインジケータ
５０４　　紙幣挿入排出口
５０５　　紙幣インジケータ
５０７　　金額表示部
５０８　　購入額選択ボタンスイッチ
５０９　　中止ボタンスイッチ
５１５　　ＩＣカードリーダライタ
５１６　　紙幣識別ユニット
５１８　　硬貨払出ユニット
５２０　　表示ドライバ
５２１　　記憶部
５２２　　通信部
５２３　　マイクロプロセッシングユニット（ＭＰＵ）
【図１】
2004135810.tif 000003
【図２】
2004135810.tif 000004
【図３】
2004135810.tif 000005
【図４】
2004135810.tif 000006
【図５】
2004135810.tif 000007
【図６】
2004135810.tif 000008
【図７】
2004135810.tif 000009
【図８】
2004135810.tif 000010
【図９】
2004135810.tif 000011
【図１０】
2004135810.tif 000012
【図１１】
2004135810.tif 000013
【図１２】
2004135810.tif 000014
【図１３】
2004135810.tif 000015
【図１４】
2004135810.tif 000016
【図１５】
2004135810.tif 000017
【図１６】
2004135810.tif 000018